(57)【要約】【課題】構造簡素にして施工コストが安価な上に支保工を軽減乃至省略できるコンクリート構造物の内面ライニング構造を提供する。【解決手段】コンクリート構造物の内壁面に固着された下地鋼材及び上記内壁面を覆うように上記下地鋼材上に敷設されたライニング材を備え、上記ライニング材は背面に間隔を存して平行する多数本の係止部付きリブ片を備え、これらリブ片は敷設状態に於いて上記下地鋼材とクロスしており、上記ライニング材の背面の少なくとも一カ所には、上記下地鋼材とクロスする向きに補強鋼材が配されていて該補強鋼材は一対のリブ片の間の空所内に収納されており、この収納状態に於いて、上記補強鋼材の背面に上記リブ片に付属する係止部が係止しており、上記補強鋼材と下地鋼材は両者クロス部に適用される固定金物により結合固定されている。【選択図】図１
2004324395.tif 000002
【特許請求の範囲】
【請求項１】
コンクリート構造物の内壁面に固着された下地鋼材及び上記内壁面を覆うように上記下地鋼材上に敷設されたライニング材を備え、上記ライニング材は背面に間隔を存して平行する多数本の係止部付きリブ片を備え、これらリブ片は敷設状態に於いて上記下地鋼材とクロスしており、上記ライニング材の背面の少なくとも一カ所には、上記下地鋼材とクロスする向きに補強鋼材が配されていて該補強鋼材は一対のリブ片の間の空所内に収納されており、この収納状態に於いて、上記補強鋼材の背面に上記リブ片に付属する係止部が係止しており、上記補強鋼材と下地鋼材は両者クロス部に適用される固定金物により結合固定されていることを特徴とするコンクリート構造物の内面ライニング構造。
【請求項２】
下地鋼材は長手方向に延出する第１と第２のフランジ部を備えていて第１のフランジ部においてアンカーボルトの適用によりコンクリート構造物の内壁面に固着されていることを特徴とする請求項１記載の内面ライニング構造。
【請求項３】
ライニング材の背面のリブ片はＴ形でこれらリブ片間の空所内には補強鋼材がリブ片に沿う方向からの挿入により収納されており、この収納状態に於いて、補強鋼材の背面には、Ｔ形リブ片のフリー端側の折曲部が係止し、該折曲部が係止部として機能していることを特徴とする請求項１又は２記載の内面ライニング構造。
【請求項４】
補強鋼材としてＣ形鋼が適用され、リブ片間の空間内への収納状態に於いて、補強鋼材のＣ形に基づくスリット部は背面側に開口され且つ上記リブ片に付属する係止部の対向間隔と一致しており、固定金物は第１と第２の係止金具部を備え、第１係止金具部は上記対向間隔及びスリット部を通じて補強鋼材内に挿入が可能であり、またこの挿入状態からの中心軸線周り方向への回動動作によりスリット部の両側に位置する補強鋼材背面両側縁部に内側から係止可能であり、一方第２係止金具部は第１係止金具部の補強鋼材内への挿入時には下地鋼材からフリーであり、回動動作時には下地鋼材の第２のフランジ部に係止可能であり、このような構成の固定金物の適用により、下地鋼材と補強鋼材とはクロス部において結合固定されていることを特徴とする請求項１乃至３のいずれかに記載の内面ライニング構造。
【発明の詳細な説明】
【０００１】
【発明の属する分野】
本発明はコンクリート構造物、例えばマンホールボックス、汚水処理槽、下水管渠などの内面ライニング構造に関する。
【０００２】
【従来の技術】
コンクリート構造物の内面ライニング構造として、ライニング材取り付けフレームをコンクリート壁面にアンカーボルトを適用して固着し、該取り付けフレームにライニング材を取り付ける構成のものが知られている（例えば特開平１０−３１６１９６号公報参照）。
【０００３】
【発明が解決しようとする課題】
ところが上記従来構成のものでは、上記フレームに対しライニング材を係合手段を適用して取り付ける構成になっているので、フレームには係合手段としての切り欠き部を高精度に備えなければならずフレームがコスト高となる上に係合に手間がかかるためライニング材の取り付けに多大の手数と時間がかかるという問題点があった。
【０００４】
またライニング施工後に於いては、通常ライニング材とコンクリート壁面との間には裏込めが施され、この裏込め材のヘッド圧によるライニング材の変形を防止するためにどうしても仮設抑止手段いわゆる支保工を講じることが必要になる。一般に支保工は支保材（剛性パネル、ばた材等）と該支保材の反力を取るためのジャッキ付きサポート等を使用して行われるが、これら資材の内、特にジャッキはかなり大型で高重量となるために搬入、搬出及び組み立て、解体に多大の人手と時間を要していた。またジャッキ付きサポートは対向するコンクリート壁面間に掛け渡されるので、支保工を行った後は作業空間が著しく制限され、支保工を解体するまでの間、実質的に作業を中断せざるを得ないことが多い。
【０００５】
本発明は構造簡素にして施工コストが安価な上に支保工の軽減乃至省略が可能なコンクリート構造物の内面ライニング構造を提供することを目的としてなされたものである。
【０００６】
【課題を解決するための手段】
本発明は、コンクリート構造物の内壁面に固着された下地鋼材及び上記内壁面を覆うように上記下地鋼材上に敷設されたライニング材を備え、上記ライニング材は背面に間隔を存して平行する多数本の係止部付きリブ片を備え、これらリブ片は敷設状態に於いて上記下地鋼材とクロスしており、上記ライニング材の背面の少なくとも一カ所には、上記下地鋼材とクロスする向きに補強鋼材が配されていて該補強鋼材は一対のリブ片の間の空所内に収納されており、この収納状態に於いて、上記補強鋼材の背面に上記リブ片に付属する係止部が係止しており、上記補強鋼材と下地鋼材は両者クロス部に適用される固定金物により結合固定されていることを特徴とするコンクリート構造物の内面ライニング構造に係る。
【０００７】
本発明の好ましい一実施形態によれば、下地鋼材は長手方向に延出する第１と第２のフランジ部を備え、第１のフランジ部においてアンカーボルトの適用によりコンクリート構造物の内壁面に固着されている。
【０００８】
また、ライニング材の背面のリブ片はＴ形でこれらリブ片間の空所内には補強鋼材がリブ片に沿う方向からの挿入により収納されており、この収納状態に於いて、補強鋼材の背面には、Ｔ形リブ片のフリー端側の折曲部が係止し、該折曲部が係止部として機能する構成になっている。
【０００９】
また、補強鋼材としてＣ形鋼が適用され、リブ片間の空間内への収納状態に於いて、補強鋼材のＣ形に基づくスリット部は背面側に開口され且つ上記リブ片に付属する係止部の対向間隔と一致しており、固定金物は第１と第２の係止金具部を備え、第１係止金具部は上記対向間隔及びスリット部を通じて補強鋼材内に挿入が可能であり、またこの挿入状態からの中心軸線周り方向への回動動作によりスリット部の両側に位置する補強鋼材背面の両側縁部に内側から係止可能であり、一方第２係止金具部は第１係止金具部の補強鋼材内への挿入時には下地鋼材からフリーであり、回動動作時には下地鋼材の第２のフランジ部に係止可能であり、このような構成の固定金物の適用により、下地鋼材と補強鋼材とはクロス部において結合固定されている。
【００１０】
【発明の実施の形態】
以下に本発明の一実施形態を添付図面に基づき説明する。本発明の一実施形態を示す図１から明らかなように、本発明に係る内面ライニング構造は、コンクリート構造物ａの内壁面ｂに固着された下地鋼材１、上記内壁面ｂを覆うように下地鋼材１上に敷設されたライニング材２、上記ライニング材２の背面の少なくとも一カ所に配された補強鋼材３及び下地鋼材１と補強鋼材３とを結合固定するための固定金物４とを構成要素として備えている。
【００１１】
下地鋼材１は図２に示すように例えば断面コ字型で長手方向に延出する第１と第２のフランジ部１ａ、１ｂを備え、第１フランジ部１ａにおいて、アンカーボルト５の適用により内壁面ａに対し固着されている。下地鋼材１としては、その他、Ｚ形、Ｉ形鋼等のような両端フランジ部付きの各種形鋼を適用できる。
【００１２】
ライニング材２はプラスチック製且つ板状で図３に示すように背面に形成のＴ形リブ片６により強化されており、通常は、定尺寸法、例えば一辺の長さが１０００乃至３０００ｍｍ程度の範囲にある直角四辺形状のものが適用される。Ｔ形リブ片６はライニング材１の背面の全長に亘って延出するように多数本が間隔を存して平行に形成されている。ライニング材１は両側部に凹凸嵌合式の接合端部７ａ、７ｂを備え、これら接合端部７ａ、７ｂの嵌合により順次接続して行くことができる。このようなライニング材１の構成そのものは従来のものと実質的に異なるところがない。
【００１３】
補強鋼材３はライニング材２を補強するために該ライニング材２の背部に少なくとも一カ所、例えば図４に示すように、中間部位と両側部の都合３カ所に設置され、その設置にはライニング材２の背面のＴ形リブ片６が利用される。補強鋼材３としては隣り合う一対のリブ片６、６間の空所８内にちょうど収まる程度の寸法のものが適用され、該空所８内にはリブ片６に沿う方向からの挿入で収納される。補強鋼材３は例えばＣ形でＣ形形状に基づくスリット部１０を備え、収納状態に於いては、上記スリット部１０は背面において開口していてリブ片６、６の折曲部９、９の対向間隔１１とほぼ一致している。補強鋼材３の収納設置状態に於いては、該補強鋼材３の背面両側部にリブ片６、６に付属する折曲部９、９が係止し、これが係止部として機能しているので、補強鋼材３はリブ片６、６間にしっかりと設置固定される。因みに、補強鋼材３のリブ片６に沿う方向への移動に対しては、必要に応じ移動防止手段（図示せず）を施すことができる。
【００１４】
ライニング材２の敷設は、補強鋼材３により補強した状態で行われ、この敷設に際しては、図５に示すように、ライニング材２は接合端部７ａ、７ｂ同士の嵌合のもとに一方向に接続されて行く。他方向への接続は接合端縁同士の単なる突き合わせであり、この突き合わせ部（図示せず）には必要に応じジョイント部材を適用できる。ライニング材２の敷設は該ライニング材２を例えばその背面のリブ片を利用してジョイント具（図示せず）の適用のもとに下地鋼材１に固定しながら行うようにしてもよい。
【００１５】
下地鋼材１上へのライニング材２の敷設状態に於いて、下地鋼材１と補強鋼材３とはそのクロス部において固定金物４の適用により結合固定され、ここに内面ライニング構造（図１参照）が構築される。ライニング材２はその背面への補強鋼材３の設置により強度が増強されると共に該補強鋼材３は下地鋼材１に固定金物４の適用により結合固定されているので、ライニング材２の取り付け強度も増強できる。このようなライニング材２の強度並びに取り付け強度の強化により、ライニング材２はその背面側に裏込めされる裏込め材の充填圧に充分に耐え得ることができ、支保工を軽減乃至省略すこと可能になる。また下地鋼材１、ライニング材２、補強鋼材３及び固定金物４を主構成要素として構築されるので、資材費が安価でしかも施工が容易であり、施工コストを軽減できる。
【００１６】
下地鋼材１と補強鋼材３との結合固定に適用される結合金物４は図６に示すように第１係止金具部４ａと第２係止金具部４ｂとこれら両金具部４ａ、４ｂを一体に結合している連結部４ｃを備えている。図７は固定金物４の第１係止金具部４ａをリブ片６、６の折曲部９、９の対向間隔１１からスリット部１０を通じて補強鋼材３内に挿入したときの状態を示し、この挿入状態に於いては、第１係止金具部４ａは幅狭で上記対向間隔１１及びスリット部１０を通じて補強鋼材３内に挿脱自在であり、連結部４ｃは上記対向間隔１１及びスリット部１０内に位置し中心軸線周りの方向に回転自在であり、第２係止金具部４ｂは図８に概略的に示すように下地鋼材１の第２フランジ部１ｂからフリーの位置を占めている。
【００１７】
図７に示す状態で固定金物４を中心軸線周りの方向に９０°回転すると、第１係止金具部４ａは図１に示すように幅広となり両側部の段部４ａ１、４ａ１において補強鋼材３の背面の両側縁部３ａ、３ａに係止すると共に、第２係止金具部４ｂは図２に示すように第２フランジ部１ｂ上に係止し、これら両係止金具部４ａ、４ｂの働きで補強鋼材３を下地鋼材１にしっかりと結合固定できる。第２フランジ部１ｂと第２係止金具４ｂとの係止は、固定金具３を９０°回転後に、スリット部１０に沿ってスライドさせることによっても行うことができる。このような固定金物４の取り付け作業は、例えば下地鋼材１と内壁面ａとライニング材１との間に形成される間隔部分を作業空間として利用し、たとえば手作業で行うことができる。
【００１８】
【発明の効果】
このように本発明によれば、構造簡素にして施工コストが安価な上に支保工を軽減乃至省略できるコンクリート構造物のライニング構造を提供できる。
【図面の簡単な説明】
【図１】本発明内面ライニング構造の一実施形態を示す部分断面図である。
【図２】図１のＩ〜Ｉ線に沿う拡大断面図である。
【図３】本発明ライニング構造の構築に適用されるライニング材の一例を示す端面図である。
【図４】上記ライニング材の背面に補強鋼材を設置した状態を示す端面図である。
【図５】同、接続状況を示す端面図である。
【図６】本発明ライニング構造の構築に適用される固定金物の一例を示す斜視図である。
【図７】固定金物の取り付け作業時の状況を示す説明図であって、９０°回転前の状況を示す。
【図８】同、下地鋼材の第２フランジ部に対しフリーの位置を占めている固定金物の状況を示す説明図である。
【符号の説明】
１            下地鋼材
１ａ          第１フランジ部
１ｂ          第２フランジ部
２            ライニング材
３            補強鋼材
３ａ          側縁部
４            固定金物
４ａ          第１係止金物部
４ｂ          第２係止金物部
４ｃ          連結部
５            アンカーボルト
６            リブ片
７ａ          接合端部
７ｂ          接合端部
８            空所
９            折曲部
１０          スリット部
１１          対向間隔
【図１】
2004324395.tif 000003
【図２】
2004324395.tif 000004
【図３】
2004324395.tif 000005
【図４】
2004324395.tif 000006
【図５】
2004324395.tif 000007
【図６】
2004324395.tif 000008
【図７】
2004324395.tif 000009
【図８】
2004324395.tif 000010